(57)【要約】  本発明は、仮想環境（１）のユーザおよび／またはサービスと現実の、従来の通信サービス（３）のユーザおよび／またはサービスとの間の通信を可能にするために、仮想環境（１）をシミュレートするデータ処理システムおよび／またはコンピュータネットワークを、通信サービス（３）、特に移動無線ネットワーク、特にモバイルメッセージサービス、とりわけＳＭＳ、ＭＭＳ、ＩＭ、電子メールなどと接続する方法に関する。前記方法によれば、データ処理システムおよび／またはコンピュータネットワークの仮想環境（１）と通信サービス（３）との間のインターフェース（２）によって、仮想環境（１）の送信元および／または送信先アドレスと通信サービスの送信元および／または送信先アドレスとの間の接続および割り当てが行われ、通信サービス（３）への情報の転送および仮想環境（１）への情報の転送が行われる。
2010541433.tif 000002
【特許請求の範囲】
【請求項１】
仮想環境（１）のユーザおよび／またはサービスと現実の、従来の通信サービス（３）のユーザおよび／またはサービスとの間の通信を可能にするために、仮想環境（１）をシミュレートするデータ処理システムおよび／またはコンピュータネットワークを、通信サービス（３）、特に移動無線ネットワーク、特にモバイルメッセージサービス、特にＳＭＳ、ＭＭＳ、ＩＭ、電子メールなどと接続する方法において、前記データ処理システムおよび／またはコンピュータネットワークの前記仮想環境（１）と通信サービス（３）との間のインターフェース（２）によって、前記仮想環境（１）の送信元および／または送信先アドレスと前記通信サービスの送信元および／または送信先アドレスとの間で接続および割り当てが行われ、通信サービス（３）への情報の転送および仮想環境（１）への情報の転送が行われることを特徴とする方法。
【請求項２】
前記インターフェース（２）によって、アドレス適合、特に仮想環境（１）におけるエイリアスと移動無線ネットワークにおけるＭＳＩＳＤＮとの間の適合が行われることを特徴とする請求項１に記載の方法。
【請求項３】
前記インターフェース（２）によって、プロトコル適合、特に前記仮想環境（１）の独自のプロトコルとメッセージサービス（３）で使用される標準のプロトコルとの間の適合が行われることを特徴とする請求項１または２に記載の方法。
【請求項４】
前記インターフェース（２）によって、仮想環境（１）および／または現実環境（３）のユーザの存在に関する既存情報の適合および／または評価が行われることを特徴とする請求項１〜３のいずれか一項に記載の方法。
【請求項５】
前記インターフェース（２）によって、仮想環境（１）および／または現実環境（３）のユーザの位置に関する既存情報の適合および／または評価が行われることを特徴とする請求項１〜４のいずれか一項に記載の方法。
【請求項６】
前記インターフェース（２）によって、仮想環境（１）でのサービスの使用、および／または通信サービス（３）の使用、および／または前記仮想環境（１）と通信サービス（３）との間の前記インターフェース機能（２）の使用に対する対価支払いが行われることを特徴とする請求項１〜５のいずれか一項に記載の方法。
【請求項７】
前記インターフェース（２）が、その論理構成に関して、前記仮想環境（１）にあるか、または通信サービス（３）のドメインにあることを特徴とする請求項１〜６のいずれか一項に記載の方法。
【発明の詳細な説明】
【技術分野】
【０００１】
本発明は、仮想環境のユーザおよび／またはサービスと現実の従来の通信サービスのユーザおよび／またはサービスとの間の通信を可能にするために、仮想環境をシミュレートするデータ処理システムおよび／またはコンピュータネットワークを、メッセージサービス、特に移動無線ネットワーク、特にモバイルメッセージサービス、特にＳＭＳ、ＭＭＳ、ＩＭ、電子メールなどと接続する方法に関する。
【背景技術】
【０００２】
今日、従来のモバイル通信サービスまたはメッセージサービス（ＳＭＳ、ＭＭＳ、ＩＭ、電子メールなど）によってユーザ間でデータを交換することができることが、従来技術で示されている。さらに、「仮想環境」（例えば、Second Life、Cyworld、Habboなど）内で、仮想環境のアイデンティティ間でメッセージを交換することもできる。
【０００３】
これらのタイプの仮想世界または環境は、例えばウェブサーバなどのデータ処理システム上および／または例えばインターネットなどのコンピュータネットワーク上にシミュレートされる。データ処理システムおよび／またはコンピュータネットワークという用語は、コンピュータネットワークの一部も含むものと理解すべきである。
【０００４】
従来技術によれば、「現実」世界でのメッセージの交換は、「仮想」環境でのメッセージの交換と切り離されており、すなわち、現在「仮想環境」内にいるユーザと、例えばＭＭＳ、ＳＭＳなど現実のモバイルメッセージサービスのユーザとが、メッセージを相互に交換することができない。
【発明の概要】
【発明が解決しようとする課題】
【０００５】
本発明の目的は、メッセージの交換を可能にするように両方の環境（仮想環境と現実環境）を相互接続できるようにする方法を提供することである。
【課題を解決するための手段】
【０００６】
この問題は、本発明によれば請求項１に記載の方法によって解決される。
【０００７】
仮想環境のユーザおよび／またはサービスと現実の従来の通信サービスのユーザおよび／またはサービスとの間の通信を可能にするために、仮想環境をシミュレートするデータ処理システムおよび／またはコンピュータネットワークを、通信サービス、特に移動無線ネットワーク、特にモバイルメッセージサービス、特にＳＭＳ、ＭＭＳ、ＩＭ、電子メールなどと接続する方法において、データ処理システムおよび／またはコンピュータネットワークの仮想環境と通信サービスとの間のインターフェースによって、仮想環境の送信元および／または送信先アドレスと通信サービスの送信元および／または送信先アドレスとの間で接続および割り当てが行われ、通信サービスへの情報の転送および仮想環境への情報の転送が行われることが特に有利である。
【０００８】
本発明の基本的な考え方は、仮想個人とメッセージサービス（ＭＭＳ、ＩＭ、ＳＭＳ、ＣＰＭ）の現実のユーザとの間で情報の交換を実現できるようにするインターフェースおよび関連の方法を提供することに基づく。
【０００９】
これを実現するための重要な要素は、両方の世界を相互接続する、すなわち上述したインターフェースを構成する仲介機能である。
【００１０】
本発明のさらなる有利な実施形態は従属請求項に記載されている。
【００１１】
有利には、インターフェースは、特に仮想環境におけるエイリアスと通信サービスのユーザを一意に識別するＭＳＩＳＤＮとの間でアドレスを適合させる。
【００１２】
また、インターフェースは、有利には、プロトコル適合、特に仮想環境の独自のプロトコルとメッセージサービスで使用される標準のプロトコルとの適合を行う。
【００１３】
さらに、インターフェースは、仮想環境および／または現実環境のユーザの存在に関する既存情報を適合させることができる。また、このインターフェースは、仮想環境および／または現実環境のユーザの位置に関する既存の情報を適合させることもできる。
【００１４】
本発明による方法の１つの好ましい実施形態では、インターフェースは、仮想環境でのサービスの使用、および／または通信サービスの使用、および／または仮想環境と通信サービスとの間のインターフェース機能の使用の対価支払いを行う。
【００１５】
インターフェースは、論理構成に関して、仮想環境に提供することも、通信サービスのドメインに提供することもできる。
【図面の簡単な説明】
【００１６】
【図１】本発明の一実施形態の概略図である。
【発明を実施するための形態】
【００１７】
図１に、本発明の一実施形態を概略的に示し、その実施形態を以下に説明する。
【００１８】
本発明の基本的な考え方は、仮想個人、すなわち仮想世界や仮想環境１のユーザと、メッセージサービス３、すなわち例えばＭＭＳ、ＩＭ、ＳＭＳ、ＣＰＭなど通信サービスの現実のユーザとの間でメッセージの交換を行うことができるようにするインターフェース２および関連の方法を提供することに基づいている。
【００１９】
これを実現するための重要な要素は、世界１と世界３、すなわち仮想環境１と（現実の）通信サービス３とを相互接続する仲介機能２である。
【００２０】
この仲介機能２により、仮想環境１内を動く個人が、現実のメッセージサービス３を全範囲にわたって使用できるようになる（例えば、現実のユーザにＳＭＳを送信する、現実のチャットに参加する、ＣＰＭ会話を使用するなど）。さらに、仮想個人１が、従来のメッセージサービス３の現実のユーザからメッセージなどを受け取ることもできる。
【００２１】
仲介機能、すなわちインターフェース２の目的は、世界や環境１、３を相互接続するのに必要なあらゆる適合を実施することである。
【００２２】
これには、特に以下のものが含まれる。
・アドレスの適合：例えば、ＭＳＩＳＤＮ→仮想環境１におけるエイリアス
・プロトコルの適合：仮想環境１の独自のプロトコル→メッセージサービス３で使用される標準のプロトコル
・現在の情報（presence information）の適合：すなわち、仮想環境１および／または現実環境３のユーザの存在に関する既存情報の適合および／または評価
・位置情報の適合、すなわち、仮想環境１および／または現実環境３のユーザの位置に関する既存情報の適合および／または評価
【００２３】
さらに、このインターフェースアイテムは、交換および／または利用されるメッセージ／サービスの発生しうる対価の支払いも担う。
【００２４】
論理構成上は、仲介機能２は、「仮想世界」１の環境に常駐することも、利用すべきメッセージサービス３のドメインに常駐することもできる。さらに、仲介機能２は、独立したエンティティ（entity）として構成することもできる。
【図１】
2010541433.tif 000003
【国際調査報告】
2010541433.tif 000004
2010541433.tif 000005
2010541433.tif 000006
2010541433.tif 000007
2010541433.tif 000008
2010541433.tif 000009